(57)【要約】      （修正有）【課題】山野において捕獲し、殺処分したイノシシやシカ等の獲物Ｘを運搬する場合に、該獲物Ｘを地面に擦過させることなく簡易的に運搬できる野獣獲物の運搬具を提供する。【解決手段】凹嵌状をした橇本体２と、該橇本体２の前後に取り付けられる運搬用紐体３と、橇本体２に載置した獲物Ｘを橇本体２に縛り付けるための縛り付け用紐体４とを備えて運搬具１を構成し、獲物Ｘが縛り付け載置された橇本体２を、運搬用紐体３を引っ張る等して運搬する。【選択図】図４
0003234068.tif 000002
【実用新案登録請求の範囲】
【請求項１】
山野で狩猟した野獣の殺処分された野獣獲物を運搬するための運搬具であって、該運搬具は、野獣獲物を載置するべく前後左右の端縁部が高く縁取りされた凹嵌状の橇本体と、橇本体を引っ張り移動させるべく橇本体の前後両端縁部に取り付けられる運搬用紐体と、橇本体に載置された野獣獲物を橇本体に縛り付けるべく橇本体の左右両端縁部に取り付けられる縛り付け用紐体とを備えて構成され、
橇本体は、前後両端縁部に運搬用紐体を取り付けるための運搬用取り付け孔が形成され、左右両端縁部に縛り付け用紐体を取り付けるための縛り付け用取り付け孔が形成されていることを特徴とする野獣獲物の運搬具。
【請求項２】
各取り付け孔にはハトメが取り付けられていることを特徴とする請求項１記載の野獣獲物の運搬具。
【請求項３】
運搬用紐体には、ホース体が外嵌されていることを特徴とする請求項１または２記載の野獣獲物の運搬具。
【請求項４】
橇本体の底板面部は、左右方向に凹凸状になることで、上方に向けて凸状になった前後方向に長い凸状部の少なくとも一対が形成されたものであり、該一対の凸状部には、下端縁部が底板面部の下端面より下方に突出して接地するよう高さ設定された補助用橇体が取り付けされることを特徴とする請求項１乃至３の何れか１記載の野獣獲物の運搬具。
【請求項５】
補助用橇体は、下端縁部が凸状部から突出して主たる接地部になる走行部と、該走行部の前後両端縁部から上方に向けて傾斜状に設けられる傾斜部とを備えて構成され、該傾斜部先端が橇本体の前後端縁部に取り付け用紐体を介して着脱自在に取り付けられることを特徴とする請求項４記載の野獣獲物の運搬具。
【請求項６】
取り付け用紐体は運搬用紐体に兼用されていることを特徴とする請求項５記載の野獣獲物の運搬具。
【考案の詳細な説明】
【技術分野】
【０００１】
本考案は、山野においてくくり罠等の罠や銃砲で捕獲したイノシシやシカ、キョン等の野獣の殺処分された野獣獲物を簡易的に運搬するために用いられる野獣獲物の運搬具の技術分野に関するものである。
【背景技術】
【０００２】
今日、各地で農業放棄地が発生するようなこともあって山野においてイノシシ（猪）やシカ（鹿）、キョン等の野獣（野生動物）の繁殖が著しく、このような野獣は、人間生活に害を及ぼす惧れがあることから、例えばくくり罠等の罠や銃砲で捕獲することが試みられている。そしてこのように捕獲された野獣は、一部は人間に害を及ぼす惧れがない山奥等に放逐する場合もあるが、多くは捕獲現場等において殺処分される。
そしてこのように殺処分された野獣獲物をそのまま現場に放置することは許されず、現場近くまで移動したトラックの荷台に搭載し、人里まで搬送する。そしてこのように搬送された野獣獲物は、一部がジビエ料理の材料等の食糧として提供されることもあるが、殆どは焼却等の処理を経て廃棄処分されることになる。
このように捕獲現場で殺処分された野獣獲物のなかには１００ｋｇを越える大物の場合もあり、このような野獣獲物は、殆どが殺処分された現場からトラックが乗り入れられたところまで運搬され、そしてトラック荷台に載置された状態で焼却場等の最終処分の現場まで搬送されることになる。この様な野獣獲物の運搬作業を行うに際し、作業者が野獣獲物を持上げる等して行うことは、作業者に対して多大な苦労と労力を強いることになる。
そこで殺処分された野獣獲物を簡便に運搬できるようにした運搬具（搬送具）が提唱されている（例えば特許文献１参照）。
【先行技術文献】
【特許文献】
【０００３】
【特許文献１】特開２０１７−８８２６８号公報
【考案の概要】
【考案が解決しようとする課題】
【０００４】
ところで前記従来の運搬具は、橇本体に、該橇本体を自走させるための自走装置が設けられたものとし、そして自走する橇本体によって野獣獲物を地面に対して引きずる状態で運搬するものであり、このため、長距離を運搬するような場合、野獣獲物が地面に擦過されることになって該野獣獲物の損壊が著しい（激しい）だけでなく、移動した地面に野獣獲物の体液や損壊物が付着してしまうという問題がある。
さらにこのように野獣獲物をトラック乗り入れ箇所まで運搬する作業、該運搬した野獣獲物をトラック荷台に乗降させる作業等の作業を行う際に、作業者が直接野獣獲物に手を触れた場合、野獣獲物の体液や損壊物が人体に付着するだけでなく、野獣獲物に寄生していたダニや細菌等の有害生物が作業者に移る惧れがあり、これらに本考案の解決すべき課題がある。
【課題を解決するための手段】
【０００５】
本考案は、上記の如き実情に鑑みこれらの課題を解決することを目的として創作されたものであって、請求項１の考案は、山野で狩猟した野獣の殺処分された野獣獲物を運搬するための運搬具であって、該運搬具は、野獣獲物を載置するべく前後左右の端縁部が高く縁取りされた凹嵌状の橇本体と、橇本体を引っ張り移動させるべく橇本体の前後両端縁部に取り付けられる運搬用紐体と、橇本体に載置された野獣獲物を橇本体に縛り付けるべく橇本体の左右両端縁部に取り付けられる縛り付け用紐体とを備えて構成され、橇本体は、前後両端縁部に運搬用紐体を取り付けるための運搬用取り付け孔が形成され、左右両端縁部に縛り付け用紐体を取り付けるための縛り付け用取り付け孔が形成されていることを特徴とする野獣獲物の運搬具である。
請求項２の発明は、各取り付け孔にはハトメが取り付けられていることを特徴とする請求項１記載の野獣獲物の運搬具である。
請求項３の発明は、運搬用紐体には、ホース体が外嵌されていることを特徴とする請求項１または２記載の野獣獲物の運搬具である。
請求項４の発明は、橇本体の底板面部は、左右方向に凹凸状になることで、上方に向けて凸状になった前後方向に長い溝状部の少なくとも一対が形成されたものであり、選択された一対の溝状部には、下端縁部が底板面部の下端面より下方に突出して接地するよう高さ設定された補助用橇体が取り付けされることを特徴とする請求項１乃至３の何れか１記載の野獣獲物の運搬具である。
請求項５の発明は、補助用橇体は、下端縁部が溝状部から突出して接地する走行部と、該走行部の前後両端縁部から上方に向けて傾斜状に設けられる傾斜部とを備えて構成され、該傾斜部先端が橇本体の前後端縁部に取り付け用紐体を介して着脱自在に取り付けられることを特徴とする請求項４記載の野獣獲物の運搬具である。
請求項６の発明は、取り付け用紐体は運搬用紐体に兼用されていることを特徴とする請求項５記載の野獣獲物の運搬具である。
【考案の効果】
【０００６】
請求項１の考案とすることにより、殺処分された野獣獲物の運搬が、該野獣獲物を橇本体に載置し、紐体で縛り付けた状態で、運搬用紐体を引っ張ることで、野獣獲物を地面に擦過させることなく容易かつ確実に運搬することができ、作業性の向上が図れると共に、作業者が野獣獲物に直接接触することを可及的に低減できることになる。
請求項２の考案とすることにより、橇本体に設けた取り付け孔をハトメによって補強し保護することができる。
請求項３の考案とすることにより、運搬用紐にホース体が外嵌していることにより、運搬用紐を引っ張る際に把持した手や引っ掛けた肩等の保護が図れることになる。
請求項４の考案とすることにより、橇本体の安定した走行性を向上するための補助用橇体を取り付けることができるが、この場合の補助用橇体は、橇本体の底板面部の補強のため凹凸にすることで形成される溝状部を有効に利用して位置決め状の取り付けがなされることになって橇本体の構造が複雑化することがない。
請求項５の考案とすることにより、走行性を向上するため設置する走行部を備えた補助用橇体の前後に、該補助用橇体を橇本体に取り付けるための傾斜部が設けられているが、橇本体を運搬する際に、該傾斜部が凸状になった接地面に先行して当接することになって橇本体の保護が図れることになる。
請求項６の発明とすることにより、運搬用紐体が補助用橇体を橇本体に取り付けるための取り付け用紐体に兼用されることになって、専用の取り付け用紐が不要になってその分の部品点数の増加を回避できることになる。
【図面の簡単な説明】
【０００７】
【図１】橇本体に運搬用紐体を取り付けた状態を示す斜視図である。
【図２】橇本体に運搬用紐体および縛り付け用紐体を取り付けた状態を示す斜視図である。
【図３】橇本体に獲物であるイノシシを縛り付けた状態を示す斜視図である。
【図４】イノシシが縛り付けられた橇本体を作業者が引っ張る状態を示す作用説明図である。
【図５】（Ａ）（Ｂ）は橇本体に補助用補助用橇体を取り付けた状態の縦断面図、横断面図である。
【図６】（Ａ）（Ｂ）は補助用補助用橇体を専用の取り付け用紐体を用いて橇本体に取り付ける例を示す正面図、取り付け用紐体に兼用された運搬用紐体を用いて橇本体に取り付ける例を示す正面図である。
【考案を実施するための形態】
【０００８】
以下、本考案の実施の形態について、図面に基づいて説明する。図面において、１はイノシシやシカ等の野生動物を、トラック等の運搬車両が入り込めない山野において、くくり罠等の罠や銃砲で捕獲し、殺処分された野獣獲物（以下単に「獲物」と称する。）Ｘを簡易的に運搬（搬送）することができる運搬具（搬送具）であって、該運搬具１は、獲物Ｘを載置するべく前後左右の端縁部２ａ、２ｂが高く縁取りされた凹嵌状の橇本体２を備えたもので構成されるが、該橇本体２の前後両端縁部２ａには、橇本体２を引っ張る状態で運搬するための運搬用紐体（ロープ）３を取り付けるための運搬用取り付け孔２ｃが左右間隔を存して一対設けられ、橇本体２の左右両端縁部２ｂには、橇本体２に載置した獲物Ｘを橇本体２に縛り付けるための縛り付け用紐体（ロープ）４を取り付けるための縛り付け用取り付け孔２ｄが前後方向に間隙を存して複数（本実施の形態では三つ）設けられたものになっている。
そしてこれら取り付け孔２ｃ、２ｄにはハトメ５が取り付けられていて補強された構造になっている。
また運搬用紐体３については、可撓性があるホース体（筒体）６が中央部位に遊嵌状に外嵌したものとなっている。
【０００９】
次に、殺処分された獲物Ｘを運搬する場合に、該殺処分された現場に運搬具１を持ち込むことになるが、この場合に、運搬用紐体３については、該現場に運搬具１を持ち込む前の段階で橇本体１に取り付けておいたものであっても良く、また現場において橇本体１に取り付けても良い。この場合に運搬用紐体３としては、両端縁部を橇本体２の前後両端縁部２ａに設けた取り付け孔２ｃに下側に向けて挿通し、該挿通した端縁部同士を締結するか、各端縁部に結び目を付ける等して運搬用紐体３が取り付け孔２ｃから抜け出るのを規制した状態で取り付ける。
一方、縛り付け用紐体４については、獲物Ｘが殺処分された現場において、該獲物Ｘを橇本体２に載置した状態で、橇本体２の左右両端縁部に設けた取り付け孔２ｄに、例えば左右に折り返しする状態でジグザグ状になるよう挿通し、端縁部を紐体４の適宜部位に締結したり端縁部同士を締結したりすることで獲物Ｘを橇本体２に縛り付けることができる。
そしてこのように獲物Ｘを橇本体２に縛り付けた状態で前記運搬用紐体４を把持して引っ張ることで、獲物Ｘは地面に擦過されることなく運搬されることになる。
【００１０】
因みに、本考案を実施するための橇本体２の大きさとしては、運搬しようとする獲物の大きさに対応して適宜のものに設定できるが、例えば１００ｋｇを越える大物の獲物Ｘまでを運搬対象とする場合には、橇本体２の大きさを、左右幅：６６０ｍｍ、前後長さ：１３５０ｍｍ、高さ：１７０ｍｍとすることが、獲物Ｘを橇本体２から可及的にはみ出ないようにして載置できながら山野での移動のしやすさを考慮したときに好適なものであるといえる。また運搬用紐体３としては、長さ３ｍとすることで、橇本体２に対して凡そ１．２ｍ程度の距離を置いた状態での牽引作業ができることになって牽引作業中に足が橇本体２に接触したりすることを回避できて好適である。また運搬用紐体３に外嵌するホース体６としては長さ９０ｃｍ程度とすることで、運搬用紐体３を手で把持する場合は勿論、腰や肩に掛けたりする場合において運搬用紐体３に直接触れて手や肩等が擦過して傷ついてしまうことを防止でき好適である。さらに縛り付け用紐体４としては長さ４〜６ｍ程度が、獲物Ｘを脱落しないよう橇本体２に確りと縛り付ける際に好適であるが、二本等、複数本に分割したものであっても勿論よい。
【００１１】
叙述の如く構成された本実施の形態において、山野で狩猟した野獣等の殺処分された獲物Ｘを、トラックが乗り入れられた場所まで運搬し、そしてトラック荷台に乗降させる場合に、該獲物Ｘを橇本体２に載置した状態で、縛り付け用紐体４を橇本体２の左右端縁部２ｂに設けた縛り付け用孔２ｄに適宜挿通して橇本体２に獲物Ｘを確りと縛り付ける。そして該獲物Ｘが縛り付けられた状態の橇本体２を、前後一方の運搬用紐体３に、作業者の手や肩に掛け、あるいは腰に回した状態で引っ張ることで、獲物Ｘは地面に擦過されることなく搬送することができる。
このように橇本体２に載置された獲物Ｘを搬送する場合に、左右に大きく方向転換する場合や急な下り斜面での滑落状の移動になるような場合があり、このような場合、前側からだけの運搬用紐体３の牽引であると移動の円滑性が損なわれ、そこでこのような場合には、後側の運搬用紐体３をもう一人の作業者が持って援助することで円滑な山野での移動ができることになる。
そしてトラックが乗り入れたところまで搬送された獲物Ｘが載置された状態の橇本体２を、前後の運搬用紐体３を把持して持ち上げてトラック荷台に載置することができる。このように獲物Ｘが載置された橇本体３を焼却場等の処理場に搬送した場合に、今度は前後の運搬用紐体３を把持してトラック荷台から降ろす。そして縛り付け用紐体４を橇本体２から外すことでフリーになった獲物Ｘの償却等の処分がなされることになる。
【００１２】
このように殺処分された獲物Ｘの運搬を、該獲物Ｘが載置され、縛り付けられた状態の橇本体２を引っ張り移動させることで運搬できる結果、獲物Ｘが地面を擦過する状態で運搬されることがなく、獲物Ｘの体液や損壊物が地面に付着することがない。しかも獲物Ｘは、橇本体２に載置した後については作業者が獲物Ｘに直接触れることを回避できるため、作業者に体液や損壊物が付着することは勿論のこと、獲物Ｘに寄生しているダニや細菌等が作業者に移ってしまうことも回避できることになって衛生的な運搬ができることになる。
【００１３】
しかもこの場合に、運搬用紐体３や縛り付け用紐体４が取り付けられる取り付け孔２ｃ、２ｄはハトメ５が取り付けられた補強構造になっている結果、橇本体２の保護が図れることになって長寿命化が図れることになる。
また運搬用紐体３にはホース６が設けられている結果、運搬用紐体３を引っ張る際の手や肩等の作業者側の身体の保護が図れることになって作業性の向上が図れることになる。
【００１４】
因みに本考案が実施された橇本体２の底板面部２ｅは、該底板面部２ｅの補強や接地面積を低減する等の目的のため、左右方向に凹凸を繰り返す構成になっており、このように形成されることで底板面部２ｅには、平面視したときに凸状に持ち上がった凸状部２ｆと凹溝状になった凹状部２ｇとが前後方向に長い筋状になって左右交互に隣接する平行状態で設けられたものになっており、そして凹状部２ｇの底部（下部）が橇本体２の主たる接地部となるよう構成されている。
因みに本実施の形態の橇本体２では、凸状部２ｆの左右幅の方が凹状部２ｇの左右幅に対して幅広になっており、凸状部２ｆの天井部は平面板状となり、凹状部２ｇの接地部となる底部は弧状となっているが、橇本体２としてはこのものに限定されることはなく、凹凸幅がこの逆になったもの、あるいは凹凸幅が均等になったものであっても勿論よい。
【００１５】
そしてこのように構成される橇本体２の底板面部２ｅに形成される凸状部２ｆに、オプション的なものとして補助用橇体７を着脱自在に取り付け、該補助用橇体７の下端縁部７ｃが、凹状部２ｇの底部に換えて主たる接地部となるようにすることができる。
具体的には、前記補助用橇体７として一対が用意され、各補助用橇体７を、左右に間隔を存した一対の凸状部２ｆに下側から内嵌する状態で取り付ける構成になっている。
【００１６】
補助用橇体７は、本実施の形態では鋼やステンレス等の金属材、あるいはポリ塩化ビニル等の硬質樹脂材を素材として形成された円筒体を用いて構成されるが、棒状の中実体で構成しても勿論良い。また補助用橇体７は、必ずしも円筒体である必要はなく、楕円形、長円形、四角形状、六角形状等の各種の形状であっても良く、凸状部２ｆに内嵌するものであればその形状は問わないものである。
前記補助用橇体７は、前後方向に長い走行部７ａと、その前後に上方に向けて傾斜状に延設される傾斜部７ｂとを備え、側面視したときに舟形状（断面皿形状）に構成されるが、走行部７ａは、凸状部２ｆに下側から嵌入し、下端縁部７ｃが凸状部２ｇの底部よりも下方に突出するよう寸法（太さ、高さ）設定されたものとなっている。
【００１７】
これに対し傾斜部７ｂは、走行部７ａの前後両端部から上方に向けて傾斜状に折曲されたものであって、上端部（先端部）が橇本体２の前後端縁部２ａに近接するよう延設されたものとなっており、該上端部には取り付け孔７ｄが形成され、該取り付け孔７ｄに、補助用橇体７を橇本体２に取り付けるための取り付け用紐体８が貫通取り付けされる。
そして取り付け用紐体８を用いて補助用橇体７を取り付ける場合には、橇本体２の前後両端縁部２ａに、運搬用取り付け孔２ｃに加えて取り付け用紐体８用の取り付け孔２ｉを設けたものにする必要があるが、この取り付け用孔２ｉは、補助用橇体７を取り付けるための凸状部２ｆ位置に対応する位置に設けられ、ハトメ５によって補強されたものになっている。
【００１８】
そして補助用橇体７を、取り付け用紐体８を用いて橇本体２に取り付ける手法として、例えば前記取り付け孔２ｉに両端縁部を上側から貫通せしめた取付け用紐体８の先端部を、左右の補助用橇体７の先端部に設けた取付け孔７ｄに挿通し、挿通した紐体先端部に結び目８ａを作る等して抜け止めをすることでの前後端縁部２ａに設けた補助用橇体用取付け孔２ｈに貫通し結び目８ａを設ける等して抜け止めすることで取り付けられることになる。そしてこのようにして取り付けられた補助用橇体７は、凸状部２ｆに下側から嵌入する状態になっている結果、凸状部２ｆからはみ出ることが防止され、凸状部２ｆの左右幅内においての偏移は許容する状態で主たる接地部となって橇本体２の接地移動の補助をするように構成され、補助用橇体７が設けられていない場合に主たる接地部となる凹状部２ｇの摩耗等による橇本体２の早期の消耗を回避できることになる。
【００１９】
そしてこのように補助用橇体７を橇本体２に取り付けておくことにより、橇本体２を山野等の地面を走行する場合に、補助用橇体７の凸状部２ｆから突出する下端縁部７ｃが主たる接地部になる状態での移動がなされることになり、この結果、橇本体２の接地移動が、下面部２ｈを主たる接地部とした場合に比して円滑になって走行性が向上すると共に方向転換も容易になる。そのうえ補助用橇体７が前後方向に架け渡し状に設けられていることにより、橇本体２自体を保護するための保護部材としても機能することになるという利点もある。
【００２０】
尚、前記説明においては、補助用橇体７を専用の取り付け用紐体８を用いて橇本体２に取り付ける構成にしたが、図６（Ｂ）に示すように運搬用紐体３の先端に補助用橇体７を取り付ける構成にしても良く、このようにした場合、橇本体２の牽引搬送をする際に必ず用いられる前側の運搬用紐体３については補助用橇体７を緊張状態で保持した構成になるため、補助用橇体７に挿通した運搬用紐体３の先端部に結び目３ａを設ける等して運搬用紐体３が補助用橇体７側に下動することの規制をする必要はないが、後側の運搬用紐体３については、牽引する場合とは異なり常に緊張状態に保持されるとは限らないため、結び目を設ける等して運搬用紐体３が補助用橇体７側に下動することを規制しておくことが好ましい。
【産業上の利用可能性】
【００２１】
本考案は、山野においてくくり罠等の罠や銃砲で捕獲したイノシシやシカ、キョン等の野獣の殺処分された獲物を簡易的に運搬するために用いられる野獣獲物の運搬具として利用することができる。
【符号の説明】
【００２２】
１  搬送具
２  橇本体
２ａ  前後端縁部
２ｂ  左右端縁部
２ｃ  運搬用取り付け孔
２ｄ  縛り付け用取り付け孔
３  運搬用紐体
４  縛り付け用紐体
５  ハトメ
６  ホース体
７  補助用橇体
８  取り付け用紐体
Ｘ  獲物
【図１】
0003234068.tif 000003
【図２】
0003234068.tif 000004
【図３】
0003234068.tif 000005
【図４】
0003234068.tif 000006
【図５】
0003234068.tif 000007
【図６】
0003234068.tif 000008